(57)【要約】【課題】  バックアップソフトウェアの動作環境に関係なく、データバックアップ用記録媒体のバックアップ履歴情報を簡単に確認できるバックアップシステムを提供することを課題とする。【解決手段】  対象データを記録される磁気テープカートリッジ２と、磁気テープカートリッジ２に付されるＲＦＩＤタグであるタグ２２と、磁気テープカートリッジ２に対象データをバックアップするドライブ本体部４１と、ドライブ本体部４１とは異なる方式で、タグ２２に少なくとも更新日付情報を含むバックアップ履歴情報を書き込むリーダライタ４２と、を備えるバックアップシステム１であって、リーダライタ４２は、ドライブ本体部４１が前記対象データを磁気テープカートリッジ２にバックアップした後、前記バックアップ履歴情報をタグ２２に書き込むように構成した。【選択図】      図１
2007052539.tif 000002
【特許請求の範囲】
【請求項１】
対象データを記録される記録媒体カートリッジと、
前記記録媒体カートリッジに付される補助記録媒体と、
前記記録媒体カートリッジに前記対象データをバックアップするデータバックアップ手段と、
前記データバックアップ手段とは異なる方式で、前記補助記録媒体に少なくとも更新日付情報を含むバックアップ履歴情報を書き込む履歴情報書込手段と、
を備えるバックアップシステムであって、
前記履歴情報書込手段は、前記データバックアップ手段が前記対象データを前記記録媒体カートリッジにバックアップした後、前記バックアップ履歴情報を前記補助記録媒体に書き込むことを特徴とするバックアップシステム。
【請求項２】
前記補助記録媒体は、前記履歴情報書込手段であるＲＦＩＤタグライタにより前記バックアップ履歴情報を書き込まれるＲＦＩＤタグであることを特徴とする請求項１に記載のバックアップシステム。
【請求項３】
前記補助記録媒体は、前記履歴情報書込手段であるバーコードライタにより前記バックアップ履歴情報であるバーコードを書き込まれるバーコードラベルであることを特徴とする請求項１に記載のバックアップシステム。
【請求項４】
前記バックアップ履歴情報は、フルバックアップデータ、または、差分データの識別情報を含むことを特徴とする請求項１から請求項３のいずれか１項に記載のバックアップシステム。
【発明の詳細な説明】
【技術分野】
【０００１】
本発明は、バックアップシステムに関するものである。
【背景技術】
【０００２】
大量のデータ、あるいは個人情報等の機密保持を要する重要なデータを取り扱う企業、組織、機関等においては、そのデータの喪失を防止するために、データを磁気テープカートリッジ等の大容量の記録媒体に記録してデータバックアップ用に保管することが行われる。具体的に、データバックアップ作業は、以下のように行われる。
【０００３】
例えば、一定の周期でバックアップするため、バックアップ対象データ（以下、単に「対象データ」という。）をフルバックアップする曜日を決めて、毎週１回フルバックアップを行うようにする。また、フルバックアップする曜日以外については、前日との差分データをバックアップする。この際、バックアップ用の磁気テープカートリッジは、各曜日専用のものを作り、毎回、各曜日は先週のデータに上書きして使い回すようになっている。そして、バックアップしたデータについては、作業者は、バックアップソフトウェアが動作するバックアップコンピュータのディスプレイ上で確認可能になっている。
【０００４】
ところで、バックアップを実施した場合、対象データをバックアップした磁気テープに、バックアップ更新日時情報等のバックアップ履歴情報も同時に記憶させるバックアップシステムも開示されている（例えば、特許文献１参照）。
【特許文献１】特開平１０−０２７０７０号公報（段落００９０）
【発明の開示】
【発明が解決しようとする課題】
【０００５】
しかしながら、バックアップ用磁気テープカートリッジは、通常、災害に備えて遠隔地に保管されており、その近くにバックアップソフトウェアが動作するバックアップシステムまたは同等のシステムがあるとは限らない。そのため、作業者は、各磁気テープカートリッジに記録された対象データ（バックアップデータ）について、その更新日時情報や、フルバックアップデータなのか、または、前日との差分データなのかというデータ内容（以下、これらを「バックアップ履歴情報」という。）についての確認を容易にすることができないという問題があった。
また、バックアップソフトウェアが正常に動作しない場合、例えば、コンピュータやユーザインタフェース部の電源断・故障中・保守中の場合は、各磁気テープカートリッジのバックアップ履歴情報を確認することが全くできないという問題があった。
【０００６】
そこで、本発明では前記した問題を解決し、バックアップソフトウェアの動作環境に関係なく、データバックアップ用記録媒体のバックアップ履歴情報を簡単に確認できるバックアップシステムを提供することを課題とする。
【課題を解決するための手段】
【０００７】
前記課題を解決するため、本発明の請求項１に記載の発明は、バックアップデータを記録される記録媒体カートリッジと、前記記録媒体カートリッジに付される補助記録媒体と、前記記録媒体カートリッジに対象データをバックアップするデータバックアップ手段と、前記データバックアップ手段とは異なる方式で、前記補助記録媒体に少なくとも更新日付情報を含むバックアップ履歴情報を書き込む履歴情報書込手段と、を備えるバックアップシステムであって、前記履歴情報書込手段は、前記データバックアップ手段が前記対象データを前記記録媒体カートリッジにバックアップした後、前記バックアップ履歴情報を前記補助記録媒体に書き込むことを特徴とする。
【０００８】
請求項１に記載の発明によれば、履歴情報書込手段は、データバックアップ手段が対象データを記録媒体カートリッジにバックアップした後、データバックアップ手段とは異なる方式で、バックアップ履歴情報を補助記録媒体に書き込む。これにより、少なくとも更新日付情報を含むバックアップ履歴情報については、記録媒体にバックアップされた対象データとは異なる方式で読み取ることができるため、バックアップソフトウェアの動作環境に関係なく、簡単に確認することができる。
【０００９】
請求項２に記載の発明は、請求項１に記載のバックアップシステムにおいて、前記補助記録媒体は、前記履歴情報書込手段であるＲＦＩＤタグライタにより前記バックアップ履歴情報を書き込まれるＲＦＩＤタグであることを特徴とする。
【００１０】
請求項２に記載の発明によれば、履歴情報書込手段であるＲＦＩＤタグライタは、データバックアップ手段が対象データを記録媒体カートリッジにバックアップした後、バックアップ履歴情報をＲＦＩＤタグに書き込む。これにより、少なくとも更新日付情報を含むバックアップ履歴情報については、ＲＦＩＤタグリーダにより、読み取ることができるため、バックアップソフトウェアの動作環境に関係なく、簡単に確認することができる。
【００１１】
請求項３に記載の発明は、請求項１に記載のバックアップシステムにおいて、前記補助記録媒体は、前記履歴情報書込手段であるバーコードライタにより前記バックアップ履歴情報であるバーコードを書き込まれるバーコードラベルであることを特徴とする。
【００１２】
請求項３に記載の発明によれば、履歴情報書込手段であるバーコードライタは、データバックアップ手段が対象データをバックアップした後、前記バックアップ履歴情報であるバーコードをバーコードラベルに書き込む。これにより、少なくとも更新日付情報を含むバックアップ履歴情報については、バーコードリーダにより、読み取ることができるため、バックアップソフトウェアの動作環境に関係なく、簡単に確認することができる。
なお、‘バーコード’には、一次元バーコード、二次元バーコード（二次元コード）を含むものとする。
【００１３】
請求項４に記載の発明は、請求項１から請求項３のいずれか１項に記載のバックアップシステムにおいて、前記バックアップ履歴情報は、フルバックアップデータ、または、差分データの識別情報を含むことを特徴とする。
【００１４】
請求項４に記載の発明によれば、記録媒体カートリッジに記録された対象データが、フルバックアップデータであるのか、それとも差分データであるのかを、簡単に確認することができる。
【発明の効果】
【００１５】
本発明によれば、バックアップソフトウェアの動作環境に関係なく、データバックアップ用記録媒体のバックアップ履歴情報を簡単に確認することができる。そのため、対象データを復旧する際、バックアップソフトウェアにその都度問い合せをすることなく、所望の対象データがバックアップされたデータバックアップ用記録媒体を、簡単に見極めることができる。
【発明を実施するための最良の形態】
【００１６】
次に、本発明の実施形態について、適宜図面を参照しながら詳細に説明する。図１は、本実施形態に係るバックアップシステムの構成図である。本実施形態では、データバックアップ用の記録媒体カートリッジとして磁気テープカートリッジを想定するが、本発明に係る記録媒体カートリッジはこれに限定されるものではない。
【００１７】
図１に示すように、本実施形態に係るバックアップシステム１は、磁気テープカートリッジ２に対象データをバックアップするシステムであり、ファイルサーバであるパソコン３にバックアップ用テープドライブ４（データバックアップ手段）が接続されて構成されている。
【００１８】
磁気テープカートリッジ２は、バックアップ用の外部記録媒体であり、曜日ごとに専用のものが用意されている。磁気テープカートリッジ２の表示ラベル２１には、例えば、１〜７までの識別番号が印刷表示されており、作業者は、例えば、識別番号が「１」の磁気テープカートリッジは月曜日専用のものであるとして、この識別番号により各曜日専用の磁気テープカートリッジを目視で確認することができる。作業者は、曜日を定めて（例えば、日曜日に）１週間に１回はフルバックアップするものとし、その他の曜日は前日との差分データを、各曜日専用の磁気テープカートリッジ２にバックアップするようにする。この磁気テープカートリッジ２には、その表示ラベル２１が貼付された側壁の内面側に、タグ２２（ＲＦＩＤタグ；Radio Frequency IDentification Tag）が内蔵されている。このタグ２２は、［特許請求の範囲］の「補助記録媒体」に相当する。なお、本実施形態では、タグ２２を磁気テープカートリッジ２に内蔵する構成としたが、本発明はこれに限定されず、タグ２２はケース外表面に外付けで貼付されるものであってもよい。
【００１９】
図２は、バックアップシステムの機能構成図であり、図３は、カートリッジ情報の一例を示す図である。
図２に示すように、タグ２２は、送受信部２２ａ、制御部２２ｂ、および、メモリ２２ｃとからなり、このタグ２２は、後記するリーダライタ４２と非接触で通信可能に構成される。送受信部２２ａは、コイル状のアンテナであり、制御部２２ｂおよびメモリ２２ｃに接続される。タグ２２のメモリ２２ｃには、磁気テープカートリッジ２に関するカートリッジ情報５（図３参照）が記憶される。
【００２０】
ここで、カートリッジ情報５は、図３に示すように、ＩＤ情報５１、データ情報５２、バックアップ履歴情報５３を含んで構成される。ＩＤ情報５１は、磁気テープカートリッジ２の固有の識別情報である。また、データ情報５２は、当該磁気テープカートリッジ２に記憶されるデータ内容、例えば、パソコン３の共有ファイルのデータである等のデータである。そして、バックアップ履歴情報５３は、更新日時情報５３１（更新日付情報）、フル・差分識別情報５３２、作業者情報５３３を含んで構成され、バックアップする都度、書き換えられるデータである。更新日時情報５３１は、当該磁気テープカートリッジ２に、対象データをバックアップした更新日時を示すデータである。フル・差分識別情報５３２は、バックアップされた対象データが、フルバックアップデータか、前日との差分データか、の識別情報である。作業者情報５３３は、バックアップ処理を担当した作業者を示す識別情報である。なお、所定の磁気テープカートリッジ２において、バックアップされるデータ内容が変更される場合には、データ情報５２をバックアップ履歴情報５３に含めて、バックアップ処理がされる都度、書き換えられるようにしてもよい。
【００２１】
図２に示すパソコン３は、例えば、図示しない複数の端末を接続したＬＡＮ（Local Area Network）などのコンピュータ・ネットワーク上でファイルを共有するために設置されるサーバであり、共有ファイルのデータ管理を一括して行うことが可能である。パソコン３は、キーボード３１と、ディスプレイ３２と、入出力部３３と、記憶部３４と、ＣＰＵ３５とを備えて構成されている。
【００２２】
キーボード３１は、入出力部３３を介してＣＰＵ３５に各情報を入力する操作部であり、作業者がＣＰＵ３５に各情報を入力するため、または、ファイルのデータ管理をするために用いられる。また、ディスプレイ３２は、ＣＰＵ３５から入出力部３３を介して出力された情報を表示するものであり、例えば、後記するバックアップ履歴情報等を表示する。さらに、記憶部３４は、後記するＣＰＵ３５による処理等に利用されるＲＡＭ、各情報が記憶されるＲＯＭ、および、ハードディスクなどの外部記憶装置によって構成され、バックアップ機能を実現するためのバックアップソフトウェアやリーダライタを駆動するためのドライバ等各種プログラムが格納されているとともに、共有ファイルなど、バックアップの対象データが記憶されている。
【００２３】
ＣＰＵ３５は、記憶部３４からデータやプログラムを読み出し、キーボード３１、ディスプレイ３２、および後記するバックアップ用テープドライブ４等各機器を制御するもので、主に、制御部３５ａと、ドライブ駆動部３５ｂと、リーダライタ駆動部３５ｃとを備えて構成される。
【００２４】
制御部３５ａは、作業者によるキーボード３１からの入力に基づいて、記憶部３４からプログラムを読み出し、ドライブ駆動部３５ｂおよびリーダライタ駆動部３５ｃを介して、バックアップ用テープドライブ４のドライブ本体部４１およびリーダライタ４２の駆動を制御する。ここで、制御部３５ａは、ドライブ駆動部３５ｂを駆動制御したら、前記バックアップ履歴情報５３（図３参照）を自動生成し、このバックアップ履歴情報５３をタグ２２に書き込むように、リーダライタ４２を駆動制御するようになっている。なお、バックアップ履歴情報５３のうち、更新日時情報５３１については制御部３５ａがその更新日時を自動的に取り込み、フル・差分識別情報５３２および作業者情報５３３については、バックアップ処理開始時のキーボード３１からの入力に基づき、生成される。
【００２５】
ドライブ駆動部３５ｂは、制御部３５ａからの指令により、ドライブ駆動信号をバックアップ用テープドライブ４に送信する。また、同様に、リーダライタ駆動部３５ｃも制御部３５ａからの指令により、リーダライタ駆動信号をバックアップ用テープドライブ４に送信する。
【００２６】
バックアップ用テープドライブ４は、前記パソコン３に、その入出力部３３を介して接続されており、ドライブ本体部４１と、リーダライタ４２とを備えて構成されている。
【００２７】
ドライブ本体部４１は、磁気テープカートリッジ２を挿入可能に構成され（図１参照）、ドライブ駆動部３５ｂからのドライブ駆動信号によって、記憶部３４に記憶された対象データを、磁気テープカートリッジ２にバックアップする。ここで、対象データは、パソコン３の共有ファイルのデータとする。
【００２８】
リーダライタ４２は、送受信部４２ａと制御部４２ｂとからなり、バックアップ用テープドライブ４においてドライブ本体部４１に磁気テープカートリッジ２が挿入された状態で、磁気テープカートリッジ２のタグ２２の送受信部２２ａに、送受信部４２ａがほぼ対面する位置関係に配置されている。リーダライタ４２は、制御部４１ｂがパソコン３の制御部３５ａからの指令を受けることで、送受信部４１ａを介して、タグ２２の送受信部２２ａと通信し、タグ２２のメモリ２２ｃに記憶される情報を非接触に書き込み、または、読み取ることができる。
【００２９】
次に、本実施形態に係るバックアップシステム１におけるバックアップ処理手順について、図４（適宜、図２）を参照しながら説明する。図４は、バックアップ処理手順を示すフローチャートである。また、図５は、磁気テープカートリッジとリーダの使用状態を示す斜視図である。
【００３０】
まず、該当曜日専用の磁気テープカートリッジ２がバックアップ用テープドライブ４にセットされた後、図４に示すように、パソコン３はバックアップ処理を指示する入力を受け付ける（ステップＳ１）。この入力は、キーボード３１を介して作業者が行うものであり、フルバックアップであるか差分データのバックアップであるかの指示も含まれる。
【００３１】
次に、入力された指示に基づき、ＣＰＵ３５の制御部３５ａが、バックアップ用テープドライブ４のドライブ本体部４１を駆動制御し、磁気テープカートリッジ２に対象データをバックアップする（ステップＳ２）。なお、ここでのバックアップ処理手順は、記憶部３４に格納されたバックアップソフトウェアのプログラムによる実行手順であり、制御部３５ａが、記憶部３４からプログラムを読み出して実行するものである。また、対象データは、記憶部３４に記憶されている共有ファイルである。
【００３２】
対象データのバックアップが完了したら、制御部３５ａは、バックアップ履歴情報５３（図３参照）を自動生成する（ステップＳ３）。そして、制御部３５ａは、バックアップ用テープドライブ４のリーダライタ４２を駆動制御し、タグ２２にバックアップ履歴情報５３を書き込む（ステップＳ４）。これにより、一連の処理が完了する。なお、ここでのタグ書込手順は、記憶部３４に格納されたプログラムによる実行手順であり、制御部３５ａが、必要に応じて、記憶部３４からプログラムを読み出して実行するものである。このプログラムでは、バックアップソフトウェアによるバックアップ処理の完了を契機として、タグ２２への書込処理が実行されるようになっている。
【００３３】
このように、バックアップ履歴情報５３が更新されたタグ２２が取り付けられた磁気テープカートリッジ２では、図５に示すように、タグ２２と通信可能なリーダ６を用いることで、簡単にバックアップ履歴情報５３を読み出すことができる。なお、バックアップ履歴情報５３は、リーダ６に設けられた表示部に直接表示されたり、リーダ６から他の端末に転送し、他の端末の表示部で表示されたりする。さらに、他の端末では、転送されたバックアップ履歴情報５３等をデータ管理できるようになっていてもよい。
【００３４】
以上によれば、本実施形態において以下の効果を得ることができる。
本実施形態に係るバックアップシステム１によれば、バックアップ用テープドライブ４のリーダライタ４２は、ドライブ本体部４１が対象データを磁気テープカートリッジ２にバックアップした後、バックアップ履歴情報５３をタグ２２に書き込む。これにより、更新日時情報５３１およびフル・差分識別情報５３２を含むバックアップ履歴情報５３については、タグ２２と交信可能なリーダ６により、読み取ることができるため、バックアップソフトウェアの動作環境に関係なく、簡単に確認することができる。
【００３５】
従って、バックアップ履歴情報５３の更新日時情報５３１およびフル・差分識別情報５３２を簡単に確認することができるので、データ復旧作業時の対象データを簡単に、かつ、確実に見極めることができ、復旧作業の効率性および確実性の向上を図ることができる。
【００３６】
また、本実施形態に係るバックアップシステム１では、制御部３５ａがバックアップ履歴情報５３の書込みを指示し、リーダライタ４２がタグ２２に書き込むため、人手の介入が無く、人為的ミスを防止することができる。
【００３７】
なお、本実施形態に係るバックアップシステム１によれば、複数の磁気テープカートリッジ２を収納するマガジンから選択的にテープストリーマドライブに充填できるライブラリ装置に適用する場合においても有利である。つまり、マガジンから磁気テープカートリッジ２を取り出す（または収納する）ロボットハンドに、リーダ６を設けておくことで、取り出しの際、当該磁気テープカートリッジ２のバックアップ履歴情報５３を簡単に読み出すことができるため、所望の磁気テープカートリッジ２を確実に選択することができる。
【００３８】
以上、本実施形態に係るバックアップシステム１について説明したが、本発明はこれに限定されることなく、様々な形態で実施することができる。
【００３９】
前記実施形態では、バックアップ履歴情報５３を記録する媒体としてタグ２２を用いたが、本発明はこれに限定されるものではなく、バーコードを用いるものであってもよい。例えば、磁気テープカートリッジ２に対象データをバックアップした後、バックアップ履歴情報５３（図３参照）を表す二次元バーコードをバーコードラベル（磁気テープカートリッジ２に予め貼付されたもの）に印刷するように構成されたシステムとすることができる。なお、ここでバーコードラベルには、磁気テープカートリッジ２の表示ラベル２１も含むものとする。このようなシステムによれば、バーコードライタでバックアップ履歴情報５３を簡単に読み出すことができるシステムを提供できる。なお、バックアップ履歴情報５３は一次元バーコードで表すものであってもよい。また、バーコードラベルは、磁気テープカートリッジ２とは別個に設けられたものでもよく、バーコード印刷後、磁気テープカートリッジ２に貼付されるものであってもよい。
【００４０】
前記実施形態では、バックアップ履歴情報５３は自動生成されてタグ２２に書き込まれるように構成したが、本発明はこれに限定されるものではなく、作業者によるキーボード入力により生成され、タグ２２（または前記バーコードラベル）に書き込まれるものであってもよい。この場合、タグ２２（または前記バーコードラベル）にバックアップ履歴情報５３が適正に書き込まれないまま一連の処理を完了させようとした場合、ディスプレイ３２に警告表示させるようにしてもよい。
【００４１】
前記実施形態では、バックアップ用テープドライブ４にリーダライタ４２を内蔵する構成としたが、本発明はこれに限定されるものではなく、リーダライタ４２は、バックアップ用テープドライブ４に外付けする構成とするものであってもよい。これによれば、リーダライタ４２の保守点検が容易になる。
【００４２】
前記実施形態では、対象データとして、サーバであるパソコン３の共有ファイルを例示したが、本発明はこれに限定されるものではなく、バックアップされるデータであれば、すべてが対象となる。また、前記実施形態では、曜日ごとに専用の磁気テープカートリッジ２を定めてバックアップ処理をするものとしたが、本発明はこれに限定されるものではなく、その形式を適宜設計することができる。
【００４３】
前記実施形態では、バックアップ履歴情報５３として、更新日時情報５３１、フル・差分識別情報５３２、および、作業者情報５３３を挙げたが、本発明は少なくとも更新日時情報５３１を含むものであればよく、その他、例えば、バックアップ処理の管理責任者や、機械で管理している磁気テープカートリッジ２の番号等に関する情報を含むものであってもよい。
【００４４】
例えば、前記タグ２２に書き込まれるカートリッジ情報５は、ターゲットＩＤを作成し、このターゲットＩＤ作成鍵を使用して、暗号化して書き込むように構成してもよい。これによれば、第三者による情報の改ざんを防止することができる。
【図面の簡単な説明】
【００４５】
【図１】本実施形態に係るバックアップシステムの構成図である。
【図２】バックアップシステムの機能構成図である。
【図３】カートリッジ情報の一例を示す図である。
【図４】バックアップ処理手順を示すフローチャートである。
【図５】磁気テープカートリッジとリーダの使用状態を示す斜視図である。
【符号の説明】
【００４６】
１      バックアップシステム
２      磁気テープカートリッジ
３      パソコン
４      バックアップ用テープドライブ
６      リーダ
２２    タグ
４１    ドライブ本体部
４２    リーダライタ
５３    バックアップ履歴情報
５３１  更新日時情報
５３２  フル・差分識別情報
【図１】
2007052539.tif 000003
【図２】
2007052539.tif 000004
【図３】
2007052539.tif 000005
【図４】
2007052539.tif 000006
【図５】
2007052539.tif 000007